(57)【要約】  自動車洗浄システムロータリブラシ用の改良されたバンド構造は、バンド構造の長さ方向の軸線に沿って延びている実質的に長い平坦な構成を有し、ブラシ中心支持部に保持されている保持領域を有しているプレート胴体を有し、プレート胴体は、複数の穿孔されている房を有している作動部分を有している。
2016532518.tif 000002
【特許請求の範囲】
【請求項１】
自動車洗浄システムロータリブラシ（２）用の改良されたバンド構造（１）であって、
実質的に長い平坦な構成を有し、前記バンドの長さ方向の軸線に沿って延びており、前記ブラシ（２）の中心支持部（３）に保持される保持領域（４）を有するプレート胴体（５）を有し、
前記プレート胴体は、複数の房つまり帯（６）を有している１個の実質的に平坦な作動端部を有しており、
前記房は、実質的に対称に分散しており、各前記房の長さ方向の軸線に沿って揃えられている複数の穴（９、１０、１１、１２）を有しており、
各前記房は、丸められている端部を有している実質的に長方形の平坦な房であって、
全ての前記房は、異なる長さまたは同じ長さのいずれかを有しており、それによって該バンド構造は、自動車洗浄作業中に、洗浄水の除去を改善することによって、該バンド構造を実質的に乾燥している状態に常に保持しながら、アクアプレーニング現象及び洗浄雑音を減少させる、
ことを特徴とする、バンド構造。
【請求項２】
前記房は、広がっている領域（８）で終わっている長さ方向の切断部（７）によって作られていることを特徴とする、請求項１に記載のバンド構造。
【請求項３】
各前記房は、複数の円形の穴（９）を有していることを特徴とする、請求項１に記載のバンド構造。
【請求項４】
各前記房は、複数の楕円形の穴（１０）を有していることを特徴とする、請求項１に記載のバンド構造。
【請求項５】
各前記房は、複数の長方形の穴（１１）を有していることを特徴とする、請求項１に記載のバンド構造。
【請求項６】
各前記房は、複数の正方形の穴（１２）を有していることを特徴とする、請求項１に記載のバンド構造。
【請求項７】
前記房の前記穴は、型抜きされている穴であることを特徴とする、請求項１に記載のバンド構造。
【発明の詳細な説明】
【技術分野】
【０００１】
本発明は、自動車洗浄システム用のロータリブラシを作るための改良されたバンド構造に関する。
【背景技術】
【０００２】
公知のように、自動自動車洗浄システムは、ロータリ部材に結合されている支持要素と、互いに近くに配置されており、端部の位置で支持要素に垂直な関係で結合されている柔軟な清浄要素とによって構成されているロータリ洗浄ブラシ組み立て品を有している。
【０００３】
たとえば自動車ボディ用の自動清浄及び洗浄は、複数の前述の洗浄ブラシ組み立て品を回転駆動して、回転しているブラシによって発生する遠心力によって予め設定されている配置で保持されている柔軟な要素で、洗浄水及び／または洗浄水溶液つまり乳状液を通して自動車ボディに衝撃を与えることによって達成される。
【０００４】
現在、清浄要素は、糸、フィラメント、またはフェルトの形態の発泡ポリウレタン材料で作られており、ポリウレタン材料は、バンド帯つまり房の形態の独立気泡、連続気泡、またはそれらの組み合わせのいずれかである。
【先行技術文献】
【特許文献】
【０００５】
【特許文献１】米国特許出願公開第２０１０／０５８５４９号明細書
【発明の概要】
【発明が解決しようとする課題】
【０００６】
清浄バンドを有している清浄要素は、動作上は非常に効率的であるが、いくつかの欠点の影響を受け、それらのうち主な欠点は、帯つまり房の清浄化能力を減少させるいわゆる「アクアプレーニング」現象である。
【０００７】
また、房バンドを有している清浄洗浄ブラシは動作時に非常にうるさい。
【０００８】
特許文献１は、請求項１の前提部分を実質的に開示している。
【０００９】
本発明の狙いは、従来の清浄バンドの前述の欠点を克服する自動車洗浄システムロータリブラシ組み立て品用の改良されたバンド構造を提供することである。
【課題を解決するための手段】
【００１０】
前述の狙いの範囲内で、本発明の主な目的は、バンドの質量が同じで接着表面が増加しており、アクアプレーニング現象の影響を受けないバンド構造を提供することである。
【００１１】
本発明の他の目的は、洗浄動作雑音が小さいバンド構造を提供することである。
【００１２】
本発明のさらに他の目的は、洗浄水の除去を促進して、それによってバンドを常に乾燥して清浄な状態に維持するバンド構造を提供することである。
【００１３】
本発明のさらに他の目的は、特別に構成されている構造特徴のおかげで動作時に非常に信頼性が高く安全なバンド構造を提供することである。
【００１４】
本発明の一態様によれば、前述の狙い及び目的ならびに、以下で明らかになるさらに他の目的は、請求項１の自動車洗浄システムロータリブラシ組み立て品用の改良されたバンド構造によって達成される。
【００１５】
本発明のさらなる特徴及び利点は、添付の図面において、明示のための、しかし非限定的な例として図示されている本発明の好ましい、しかし排他的ではない実施形態の以下の開示から以降でより明らかになるであろう。
【図面の簡単な説明】
【００１６】
【図１】本発明のバンド要素を有しているロータリブラシの前部立面図である。
【図２】本発明の第１の態様のバンド要素の上部平面図である。
【図３】本発明のさらなる態様のバンド要素のさらなる上部平面図である。
【図４】第１の種類の穴を有しているバンド要素の端部の拡大図である。
【図５】第２の種類の穴を有しているバンド要素の端部のさらなる拡大図である。
【図６】第３の種類の穴を有しているバンド要素の端部のさらに他の拡大図である。
【図７】さらに他の種類の穴を有しているバンド要素の端部の拡大図である。
【発明を実施するための形態】
【００１７】
前述の図の参照番号を参照すると、全体を参照番号１で示している本発明の自動車洗浄システムロータリブラシ組み立て品の改良されているバンド構造は、中心支持部３に適切な結合手段によって結合する複数のバンド要素１を有しているロータリ洗浄ブラシ２で使用するようになっている。
【００１８】
各バンド要素つまり組み立て品１は、独立気泡プラスチックまたは任意の他の適切な材料で作られていることが有利なプレート状の胴体５を有している。
【００１９】
プレート胴体５は、バンド要素の長さ方向の軸線に沿って延びており、中心支持要素３に保持される保持領域４を有している実質的に長い構成を有している。
【００２０】
本発明によれば、バンド要素１は、複数の穿孔されている房つまり帯６を有している作動部分を有している。
【００２１】
房つまり帯６は、切断部分が、洗浄ブラシの使用応力によって予め設定されている端部を超えて延びることを防止するように広がっている領域８で終わっている長さ方向の切断部７によって作られている。
【００２２】
房つまり帯６は、各房に沿って対称に分散していることが好ましい複数の房の穴を有している。
【００２３】
穴は、型抜きによって作られていることが好ましく、異なる構成つまり配置を有していてもよい。
【００２４】
図４は、参照番号９で示している穴が円形の穴である例示的な実施形態を示している。
【００２５】
図５は、参照番号１０で示している穴が楕円形の穴であるさらなる例示的な実施形態を示している。
【００２６】
図６は、参照番号１１で示している穴が長方形の穴であるさらなる例示的な実施形態を示している。
【００２７】
図７は、参照番号１２で示している穴が正方形の穴であるさらに他の実施形態を示している。
【００２８】
本発明は、意図した狙い及び目的を完全に達成していることがわかった。
【００２９】
実際に、本発明は、バンドの房つまり帯を貫通している穴の実現によって、アクアプレーニング現象を克服し、バンド構造の清浄化能力を向上させながら、バンドの質量に対する接着表面が改善しているつまり増加しているバンド構造を実現している。
【００３０】
また、穴によって清浄にする自動車ボディ表面に接触するバンド材料の質量が減少しているので、洗浄雑音も大きく減少する。
【００３１】
さらに、穴によって、過剰な水の除去が促進され、洗浄ブラシが常に乾燥して清浄な状態に維持される。
【００３２】
前述の内容以外に、本発明のバンド要素を有している洗浄ブラシは非常に美的な外見を有しており、洗浄ブラシ市場によっては、非常に有利になることがあることも指摘すべきである。
【００３３】
本発明の実施において、使用される材料だけではなく、付随する大きさ及び形状は、要件によって任意とすることができる。
【図１】
2016532518.tif 000003
【図２】
2016532518.tif 000004
【図３】
2016532518.tif 000005
【図４】
2016532518.tif 000006
【図５】
2016532518.tif 000007
【図６】
2016532518.tif 000008
【図７】
2016532518.tif 000009
【国際調査報告】
2016532518.tif 000010
2016532518.tif 000011